(57)【特許請求の範囲】
【請求項１】
利用者の体の一部を覆うように前記利用者に着用される着用物に設けられ、モータの駆動力により前記着用物内を流れる空気流を発生させる空気流発生部と、
前記着用物の周囲における特定気体の濃度を検出する濃度検出部と、
前記濃度検出部によって検出された特定気体の濃度が第１閾値以上になった場合に前記空気流発生部の作動を停止させる制御部と、
を含む着用物内環境向上装置。
【請求項２】
前記濃度検出部は電源部から供給された電力により特定気体の濃度を検出し、
前記制御部は前記電源部の電圧が所定値未満に低下した場合にも前記空気流発生部の作動を停止させる請求項１記載の着用物内環境向上装置。
【請求項３】
前記制御部は、前記空気流発生部の作動を停止させた後に、前記濃度検出部によって検出された特定気体の濃度が前記第１閾値よりも低い第２閾値未満になった場合に、前記空気流発生部の作動を再開させる請求項１又は請求項２記載の着用物内環境向上装置。
【請求項４】
前記制御部は、前記濃度検出部によって検出された特定気体の濃度の増加速度が第１速度以上の場合に、前記増加速度が前記第１速度未満の場合よりも前記第１閾値を小さくする請求項１〜請求項３の何れか１項記載の着用物内環境向上装置。
【請求項５】
利用者の体の一部を覆うように前記利用者に着用される着用物に設けられ、モータの駆動力により前記着用物内を流れる空気流を発生させる空気流発生部を含む着用物側装置部に接続される特定気体の警報器であって、
前記着用物の周囲における特定気体の濃度を検出する濃度検出部と、
前記濃度検出部によって検出された特定気体の濃度が第１閾値以上になった場合に警報を出力する警報出力部と、
前記濃度検出部によって検出された特定気体の濃度が前記第１閾値以上になった場合に前記空気流発生部の作動を停止させる制御部と、
を含む特定気体の警報器。
【発明の詳細な説明】
【技術分野】
【０００１】
本発明は着用物内環境向上装置及び特定気体の警報器に関する。
【背景技術】
【０００２】
ガス工事は、時に、熱中症にかかり易い高温の環境下で作業を実施せざるを得なくなることがあり、熱中症への対策が検討されている。一方、上記のような高温の環境下での作業に適した衣服として、衣服内に外気を導入して衣服内に空気の流れを発生させるファンを取り付けた衣服が知られている(非特許文献１参照)。
【先行技術文献】
【非特許文献】
【０００３】
【非特許文献１】株式会社空調服、”空調服とは”、[online]、[平成２６年１０月１４日検索]、インターネット＜ＵＲＬ：http://www.9229.co.jp/about.html＞
【発明の概要】
【発明が解決しようとする課題】
【０００４】
ガス工事では現場にガスが漏洩していることがあり、上記のようなファンが取り付けられた衣服を着用してガスが漏洩している現場に赴いた場合、ファンを回転させるモータのブラシから出る火花によってガスが引火する恐れがある。また、ガスの引火を防止するために、ファンを回転させるモータとして防爆構造のモータを用いることも考えられるが、この場合、モータの重量が嵩む(例えば1(kg)程度)ことで、作業性が損なわれるという別の問題が生ずる。
【０００５】
本発明は上記事実を考慮して成されたもので、作業性を損なうことなく、特定気体が漏洩している環境でも特定気体に引火することを防止できる着用物内環境向上装置及び特定気体の警報器を得ることが目的である。
【課題を解決するための手段】
【０００６】
請求項１記載の発明に係る着用物内環境向上装置は、利用者の体の一部を覆うように前記利用者に着用される着用物に設けられ、モータの駆動力により前記着用物内を流れる空気流を発生させる空気流発生部と、前記着用物の周囲における特定気体の濃度を検出する濃度検出部と、前記濃度検出部によって検出された特定気体の濃度が第１閾値以上になった場合に前記空気流発生部の作動を停止させる制御部と、を含んでいる。
【０００７】
請求項１記載の発明は、利用者の体の一部を覆うように利用者に着用される着用物に、モータの駆動力により着用物内を流れる空気流を発生させる空気流発生部が設けられている。上記の着用物としては、衣服以外に、例えばヘルメットや靴等が挙げられる。着用物に空気流発生部を設けることにより、特に、着用物を着用している利用者が発汗するような高温の環境下において、空気流発生部が着用物内を流れる空気流を発生させることで、汗の気化熱により利用者の身体を冷却することが可能となるので、着用物内の環境を向上させることが可能となる。
【０００８】
また、請求項１記載の発明では、着用物の周囲における特定気体の濃度が濃度検出部によって検出され、制御部は、濃度検出部によって検出された特定気体の濃度が第１閾値以上になった場合に空気流発生部の作動を停止させる。上記の特定気体としては、引火する可能性の有る気体、例えばメタン等が挙げられるが、気体には引火する濃度範囲があるので、上記の第１閾値としては、特定気体が引火する濃度範囲のうちの下限濃度未満の値、より詳しくは、安全を見込んで下限濃度よりも所定値低い値に設定しておくことができる。これにより、特定気体の濃度が第１閾値以上になった場合に空気流発生部の作動が停止されることで、特定気体が漏洩している環境でも特定気体に引火することを防止することができる。また、特定気体への引火を防止することを、例えばモータを防爆構造にする等の重量増加を招く対策を行うことなく実現できるので、作業性が損なわれることも抑制することができる。
【０００９】
なお、請求項１記載の発明において、例えば請求項２に記載したように、濃度検出部は電源部から供給された電力により特定気体の濃度を検出し、制御部は電源部の電圧が所定値未満に低下した場合にも空気流発生部の作動を停止させることが好ましい。これにより、着用物の周囲における特定気体の濃度が第１閾値以上になったにも拘わらず、電源部の電圧の低下の影響を受けて特定気体の濃度が第１閾値以上になったことが濃度検出部によって検出されなかった場合にも、空気流発生部の作動が停止されるので、特定気体が漏洩している環境で特定気体に引火することをより確実に防止することができる。
【００１０】
また、請求項１又は請求項２記載の発明において、制御部は、例えば請求項３に記載したように、空気流発生部の作動を停止させた後に、濃度検出部によって検出された特定気体の濃度が第１閾値よりも低い第２閾値未満になった場合に、空気流発生部の作動を再開させることが好ましい。これにより、着用物の周囲における特定気体の濃度が第１閾値付近で変動していた場合に、空気流発生部の作動の停止と再開が繰り返されることが防止され、制御の安定性の向上及び空気流発生部の長寿命化を実現できる。
【００１１】
また、請求項１〜請求項３の何れか１項記載の発明において、制御部は、例えば請求項４に記載したように、濃度検出部によって検出された特定気体の濃度の増加速度が第１速度以上の場合に、増加速度が第１速度未満の場合よりも第１閾値を小さくすることが好ましい。これにより、着用物の周囲における特定気体の濃度が急に増大した場合に、空気流発生部の作動をより早期に停止させることができる。
【００１２】
請求項５記載の発明に係る特定気体の警報器は、利用者の体の一部を覆うように前記利用者に着用される着用物に設けられ、モータの駆動力により前記着用物内を流れる空気流を発生させる空気流発生部を含む着用物側装置部に接続される特定気体の警報器であって、前記着用物の周囲における特定気体の濃度を検出する濃度検出部と、前記濃度検出部によって検出された特定気体の濃度が第１閾値以上になった場合に警報を出力する警報出力部と、前記濃度検出部によって検出された特定気体の濃度が前記第１閾値以上になった場合に前記空気流発生部の作動を停止させる制御部と、を含んでいるので、請求項１記載の発明と同様に、作業性を損なうことなく、特定気体が漏洩している環境でも特定気体に引火することを防止することができる。
【発明の効果】
【００１３】
本発明は、作業性を損なうことなく、特定気体が漏洩している環境でも特定気体に引火することを防止できる、という効果を有する。
【図面の簡単な説明】
【００１４】
【図１】着用物内環境向上システムの概略構成を示すブロック図である。
【図２】(Ａ)は着用物へのファンの取付位置の一例、(Ｂ)はファンが作動した場合に着用物内に発生する空気流の一例を各々示す概略図である。
【図３】第１実施形態に係るファン制御処理のフローチャートである。
【図４】第２実施形態に係るファン制御処理のフローチャートである。
【図５】第２実施形態におけるガス濃度の推移とファンの作動／作動停止の一例を示すタイミングチャートである。
【図６】第３実施形態に係るファン制御処理のフローチャートである。
【図７】第３実施形態におけるガス濃度の推移とファンの作動／作動停止の一例を示すタイミングチャートである。
【発明を実施するための形態】
【００１５】
以下、図面を参照して本発明の実施形態の一例を詳細に説明する。
【００１６】
〔第１実施形態〕
図１に示すように、本実施形態に係る着用物内環境向上システム１０は、利用者(例えばガス工事を行う作業者)が着用する衣服２２(図２参照)に取り付けられた衣服側回路１２と、利用者に携帯され本発明における気体の一例であるメタン等(以下、単にガスという)の濃度が閾値以上になった場合に警報を発するガス警報器３０と、を含んでいる。なお、着用物内環境向上システム１０は本発明に係る着用物内環境向上装置の一例であり、ガス警報器３０は本発明に係る特定気体の警報器の一例である。また、衣服側回路１２は本発明における着用物側装置部の一例である。
【００１７】
衣服側回路１２とガス警報器３０は、衣服側回路１２に設けられたコネクタ１８と、ガス警報器３０に設けられたコネクタ４６と、を介して接続及び接続解除が可能とされている。例えばガス工事を行う場合等のように、周囲環境のガス濃度が閾値以上になる可能性がある場合には、コネクタ１８,４６を介して衣服側回路１２とガス警報器３０が接続され、着用物内環境向上システム１０として使用される。一方、周囲環境のガス濃度が閾値以上になる可能性がない場合には、衣服側回路１２のコネクタ１８とガス警報器３０のコネクタ４６との接続が解除され、衣服側回路１２のコネクタ１８には短絡用のコネクタ２６が接続されることで、衣服側回路１２が単体で使用される。
【００１８】
衣服側回路１２は、一次電池を含みマイナス端子が接地された電源１４と、一端が電源１４のプラス端子に接続されると共に他端がコネクタ１８に接続され、利用者によってオンオフ操作されるスイッチ１６と、一端がコネクタ１８に各々接続され、他端が各々接地された複数のファン２０と、を含んでいる。複数のファン２０は、衣服側回路１２が取り付けられた衣服２２が利用者の上半身に着用するジャケットであれば、図２(Ａ)に示すように、例えば利用者の腰に対応する位置に各々取り付けることができる。なお、本実施形態では、ファン２０のモータは非防爆構造とされている。ファン２０は本発明における空気流発生部の一例であり、衣服２２は本発明における着用物の一例である。
【００１９】
なお、ファン２０の個数や取付位置、衣服側回路１２を取り付ける衣服は、図２(Ａ)に示した態様に限定されるものではない。また、図２(Ａ)では本発明に係る着用物の一例として衣服２２を示したが、これに限定されるものではなく、例えばヘルメットや靴等、衣服以外の着用物に適用することも可能である。また、電源１４は一次電池に代えて二次電池を含む構成でもよい。
【００２０】
衣服側回路１２は、コネクタ１８に短絡用のコネクタ２６が接続されている状態で、スイッチ１６がオン操作されると、スイッチ１６、コネクタ１８,２６を介して電源１４からファン２０に電力が供給されることで、図示しないモータの駆動力によりファン２０の羽根車が回転され、例として図２(Ｂ)に矢印２４で示すように、衣服２２と利用者の体との間の空間を流れる空気流が発生する。これにより、例えば利用者が発汗するような高温の環境下において、発生した空気流によって蒸発する汗の気化熱により利用者の身体が冷却され、衣服２２内の環境が向上する。
【００２１】
一方、ガス警報器３０は、既存のガス警報器に相当する既存回路部３２に、追加回路部４４が追加された構成とされている。ガス警報器３０の既存回路部３２は、一次電池を含みガス警報器３０の各部に電力を供給する電源部３４、ガス警報器３０の周辺におけるガス濃度を検出するガス濃度センサ３６、ブザー３８、ガス濃度センサ３６によって検出されたガス濃度が閾値以上になった場合にブザー３８を鳴動させるガス警報器制御部４０及びガス警報器制御部４０に対してガス濃度の閾値の設定等を行うための操作部４２を含んでいる。
【００２２】
なお、ガス濃度センサ３６としては、例えば、金属酸化物半導体表面でのガス吸着による電気伝導度変化を抵抗値変化として検出する熱線型半導体式センサを適用することができるが、これに限定されるものではなく、触媒表面でのガスの接触燃焼による温度上昇を検出する接触燃焼式センサや、ガスの熱伝導度の差による発熱体の温度変化を検出する気体熱伝導式センサを適用することも可能である。何れの検出方式のガス濃度センサについても、電源部３４から供給された電力によりガス濃度を検出する。ガス濃度センサ３６は本発明における濃度検出部の一例であり、ブザー３８及びガス警報器制御部４０は本発明における警報出力部の一例である。
【００２３】
また、ガス警報器３０の追加回路部４４は、コネクタ４６に接続されたノーマリークローズのスイッチ４８Ａと当該スイッチ４８Ａの電位が高電位か否かを検出する電位センサを含むスイッチング部４８、スイッチング部４８のスイッチ４８Ａのオンオフを制御するスイッチング制御部５０及び電源部３４の電源電圧を検出する電圧検出部５２を含んでいる。スイッチング制御部５０及び電圧検出部５２は本発明における制御部の一例である。
【００２４】
なお、ガス警報器制御部４０及びスイッチング制御部５０は、例えば半導体集積回路、より詳しくはＡＳＩＣ(Application Specific Integrated Circuit)等で実現することができるが、マイクロコンピュータ等で実現することも可能である。
【００２５】
次に本第１実施形態の作用を説明する。ガス警報器３０のスイッチング制御部５０は、電源部３４から電力が供給されている間、図３に示すファン制御処理を実行する。ファン制御処理のステップ１００において、スイッチング制御部５０は、スイッチング部４８の電位センサによってスイッチ４８Ａの電位が高電位であることが検出されているか否かに基づいて、コネクタ１８,４６を介してガス警報器３０が衣服側回路１２と接続され、かつスイッチ１６がオン操作されているか(ファンが作動されているか)否かを判定する。ステップ１００の判定が否定された場合はステップ１０６へ移行し、ステップ１０６において、スイッチング制御部５０は、スイッチング部４８のスイッチ４８Ａのオン状態を継続させる。
【００２６】
前述のように、衣服２２を着用している利用者の周囲環境のガス濃度が閾値以上になる可能性がない場合、衣服側回路１２のコネクタ１８には短絡用のコネクタ２６が接続されることで、衣服側回路１２が単体で使用される。この場合、衣服側回路１２のファン２０は、スイッチ１６がオン操作されると作動し、例として図２(Ｂ)に矢印２４で示すように、衣服２２と利用者の体との間の空間を流れる空気流を発生させる。また、衣服側回路１２のファン２０は、スイッチ１６がオフ操作されると作動を停止する。上記のように、衣服側回路１２がガス警報器３０が接続されていない場合は、スイッチング部４８のスイッチ４８Ａが高電位になることはなく、スイッチ４８Ａはオン状態のまま維持される。
【００２７】
また、例えばガス工事を行う場合等のように、周囲環境のガス濃度が閾値以上になる可能性がある場合には、コネクタ１８,４６を介して衣服側回路１２とガス警報器３０が接続され、着用物内環境向上システム１０として使用される。このように、衣服側回路１２とガス警報器３０が接続された場合も、スイッチ１６がオフ状態であればスイッチング部４８のスイッチ４８Ａが高電位になることはなく、スイッチ４８Ａはオン状態のまま維持される。なお、衣服側回路１２とガス警報器３０が接続された場合、ガス警報器３０は、例えば衣服２２のポケット等に収納される。
【００２８】
一方、コネクタ１８,４６を介して衣服側回路１２とガス警報器３０が接続された状態でスイッチ１６がオン操作されると、スイッチング部４８のスイッチ４８Ａが電源１４のプラス端子と同電位、すなわち高電位になるので、前述のステップ１００の判定が肯定されてステップ１０２へ移行する。ステップ１０２において、スイッチング制御部５０は、現在の周囲環境のガス濃度をガス警報器制御部４０へ問い合わせ、ガス濃度センサ３６によって検出されてガス警報器制御部４０から通知された現在の周囲環境のガス濃度が閾値未満か否か判定する。
【００２９】
ステップ１０２の判定が肯定された場合はステップ１０４へ移行し、ステップ１０４において、スイッチング制御部５０は、ガス警報器３０の電源部３４の電圧が所定電圧以上か否か判定する。ステップ１０２,１０４の判定が何れも肯定された場合、電源部３４の電圧低下が生じていないので、ガス濃度センサ３６の検出精度の低下は生じておらず、かつ周囲環境のガス濃度は引火が生じる濃度に達していないと判断できる。このため、ステップ１０２,１０４の判定が肯定された場合はステップ１０６へ移行し、ステップ１０６において、スイッチング制御部５０は、スイッチング部４８のスイッチ４８Ａのオン状態を継続させる。
【００３０】
この場合、衣服側回路１２では、スイッチ１６のオン操作に伴ってファン２０が作動する。これにより、例えば利用者が発汗するような高温の環境下において、発生した空気流によって蒸発する汗の気化熱により利用者の身体が冷却され、衣服２２内の環境が向上する。従って、作業者は、衣服２２内の環境が快適な状態に維持されたまま、ガス工事等の作業に従事することができる。
【００３１】
一方、ステップ１０４の判定が否定された場合は、電源部３４の電圧が低下しているので、ガス濃度センサ３６の検出精度が低下している可能性があると判断できる。また、ステップ１０２の判定が肯定された場合は、周囲環境のガス濃度は引火が生じる可能性のある濃度に達していると判断できる。このため、ステップ１０２又はステップ１０４の判定が否定された場合はステップ１０８へ移行し、ステップ１０８において、スイッチング制御部５０は、スイッチング部４８のスイッチ４８Ａをオフ状態に切替える。これにより、ファン２０への電力供給が途絶え、ファン２０の作動が停止する。従って、周囲環境中に存在するガスへの引火を防止することを、ファン２０のモータを防爆構造にすることなく実現することができる。
【００３２】
また、電源部３４の電圧が所定電圧未満の場合にも、スイッチング部４８のスイッチ４８Ａをオフ状態に切替えてファン２０の作動を停止させるので、周囲環境のガス濃度が第１閾値以上であるにも拘わらず、電源部３４の電圧の低下の影響を受けて周囲環境のガス濃度が第１閾値以上になったことがガス濃度センサ３６によって検出されなかった場合にも、周囲環境中に存在するガスに引火することをより確実に防止することができる。
【００３３】
また、ガス濃度センサ３６により検出されたガス濃度が閾値以上になった場合にも、例えばガスが漏洩している箇所の補修を行った等により、その後、周囲環境のガス濃度が閾値未満に低下すれば、ステップ１０２の判定は肯定される。また、電源部３４の電圧が所定電圧未満に低下した場合にも、電源部３４の一次電池を交換すればステップ１０４の判定は肯定される。そして、ステップ１０２,１０４の判定が何れも肯定されればファン２０の作動が再開されるので、衣服２２内の環境が快適な状態に改善され、作業者は、この状態でガス工事等の作業を継続することができる。
【００３４】
また、本実施形態に係る着用物内環境向上システム１０は、既存の衣服側回路１２にコネクタ１８を追加すると共に、既存のガス警報器３０に追加回路部４４及びコネクタ４６を追加する、という簡単な変更により実現することができ、容易に実施できる。
【００３５】
〔第２実施形態〕
次に本発明の第２実施形態を説明する。なお、本第２実施形態は第１実施形態と構成が同一であるので、各部分に同一の符号を付して構成の説明を省略し、以下、図４を参照し、本第２実施形態に係るファン制御処理を説明する。
【００３６】
本第２実施形態に係るファン制御処理では、まずステップ１００において、スイッチング制御部５０は、第１実施形態と同様に、スイッチング部４８のスイッチ４８Ａの電位が高電位か否かを判定する。コネクタ１８,４６を介してガス警報器３０が衣服側回路１２と接続され、かつスイッチ１６がオン操作されている場合、ステップ１００の判定が肯定されてステップ１１０へ移行する。
【００３７】
ステップ１１０において、スイッチング制御部５０は、スイッチング部４８のスイッチ４８Ａがオンしているか否か判定する。スイッチ４８Ａがオンしている場合は、ステップ１１０の判定が肯定されてステップ１１２へ移行し、ステップ１１２において、スイッチング制御部５０は、現在の周囲環境のガス濃度をガス警報器制御部４０へ問い合わせ、ガス濃度センサ３６によって検出されてガス警報器制御部４０から通知された現在の周囲環境のガス濃度が第１閾値未満か否か判定する。
【００３８】
ステップ１１２の判定が肯定された場合はステップ１０４へ移行し、ステップ１０４において、スイッチング制御部５０は、第１実施形態と同様に、ガス警報器３０の電源部３４の電圧が所定電圧以上か否か判定する。ステップ１１２,１０４の判定が何れも肯定された場合はステップ１０６へ移行し、ステップ１０６において、スイッチング制御部５０は、スイッチング部４８のスイッチ４８Ａのオン状態を継続させる。この場合はファン２０が作動される。また、ステップ１１２又はステップ１０４の判定が否定された場合はステップ１０８へ移行し、ステップ１０８において、スイッチング制御部５０は、スイッチング部４８のスイッチ４８Ａをオフ状態に切替える。この場合はファン２０の作動が停止される。
【００３９】
一方、ステップ１１０において、スイッチング部４８のスイッチ４８Ａがオフしている場合は、ステップ１１０の判定が否定されてステップ１１４へ移行し、ステップ１１４において、スイッチング制御部５０は、現在の周囲環境のガス濃度をガス警報器制御部４０へ問い合わせ、ガス濃度センサ３６によって検出されてガス警報器制御部４０から通知された現在の周囲環境のガス濃度が、前述の第１閾値よりも低い第２閾値(図５参照)未満か否か判定する。
【００４０】
ステップ１１４の判定が肯定された場合はステップ１０４へ移行する。ステップ１１４,１０４の判定が何れも肯定された場合はステップ１０６へ移行する。この場合はファン２０が作動される。また、ステップ１１４又はステップ１０４の判定が否定された場合はステップ１０８へ移行する。この場合はファン２０の作動が停止される。
【００４１】
上述したファン制御処理の作用について、図５を参照して更に説明する。図５に示すようにガス濃度が徐々に増加した場合、ガス濃度が第１閾値未満の期間にはファン２０が作動され、ガス濃度が第１閾値以上になるとファン２０の作動が停止される。図５に示す例では、その後、ガス濃度は第１閾値付近で変動しているが、ファン２０の作動が停止されている間は、ガス濃度が第２閾値未満にならないと(ステップ１１４の判定が肯定されないと)ファン２０の作動が再開されないので、ガス濃度が第１閾値付近で変動している間は、ファン２０の作動が停止されている状態が維持される。そして、ガス濃度が第２閾値未満に低下すると、ファン２０の作動が再開される。
【００４２】
上記の制御により、周囲環境のガスの濃度が第１閾値付近で変動していた場合に、ファン２０の作動の停止と作動の再開が繰り返されることを防止することができ、制御の安定性の向上及びファン２０の長寿命化を実現することができる。
【００４３】
〔第３実施形態〕
次に本発明の第３実施形態を説明する。なお、本第３実施形態も第１実施形態と構成が同一であるので、各部分に同一の符号を付して構成の説明を省略し、以下、図６を参照し、本第３実施形態に係るファン制御処理について、第２実施形態で説明したファン制御処理と異なる部分についてのみ説明する。
【００４４】
本第３実施形態に係るファン制御処理では、ステップ１１０において、スイッチング部４８のスイッチ４８Ａがオンしており、ステップ１１０の判定が肯定された場合にステップ１１６へ移行し、ステップ１１６において、スイッチング制御部５０は、周囲環境のガス濃度が所定速度以上の増加速度で増加しているか(ガス濃度の増加速度の傾きが所定値以上か)否かを判定する。ステップ１１６の判定が否定された場合はステップ１１２へ移行し、第２実施形態と同様に、ステップ１１２において、スイッチング制御部５０は、周囲環境のガス濃度が第１閾値未満か否か判定する。以降の処理は第２実施形態と同様である。
【００４５】
また、ステップ１１６において、周囲環境のガス濃度が所定速度以上の増加速度で増加している場合は、ステップ１１６の判定が肯定されてステップ１１８へ移行し、ステップ１１８において、スイッチング制御部５０は、周囲環境のガス濃度が、第１閾値よりも小さく、第２閾値よりも大きい第３閾値(図７参照)未満か否か判定する。ステップ１１８の判定が肯定された場合はステップ１０４へ移行し、第１実施形態及び第２実施形態と同様に、ガス警報器３０の電源部３４の電圧が所定電圧以上か否かが判定される。ステップ１１６、ステップ１１８及びステップ１０４の判定が何れも肯定された場合はステップ１０６へ移行する。この場合はスイッチ４８Ａのオン状態が継続され、ファン２０の作動が継続される。
【００４６】
一方、ステップ１１６の判定が肯定され、かつステップ１１８で周囲環境のガス濃度が第３閾値以上であった場合は、ステップ１１８の判定が否定されてステップ１０８へ移行する。この場合はスイッチ４８Ａがオフ状態に切り替わり、ファン２０の作動が停止される。
【００４７】
上述したファン制御処理の作用について、図７を参照して更に説明する。図７(Ａ)に示すように、周囲環境のガス濃度が増加したものの、ガス濃度の増加速度が所定速度未満(ガス濃度の増加速度の傾きが所定値未満)であった場合には、周囲環境のガス濃度が第１閾値以上になると、ステップ１１２の判定が否定されてスイッチ４８Ａがオフ状態に切り替わり、ファン２０の作動が停止される。
【００４８】
一方、図７(Ｂ)に示すように、周囲環境のガス濃度が増加し、かつガス濃度の増加速度が所定速度以上 (ガス濃度の増加速度の傾きが所定値以上)であった場合には、周囲環境のガス濃度が第３閾値以上になると、ステップ１１８の判定が否定されてスイッチ４８Ａがオフ状態に切り替わり、ファン２０の作動が停止される。図７(Ｂ)を図７(Ａ)と比較しても明らかなように、ガス濃度の増加速度が所定速度以上の場合は、ガス濃度の増加速度が所定速度未満の場合よりも時間ｔ0だけ早いタイミングでファン２０の作動が停止されている。
【００４９】
これにより、例えば、電源部３４の一次電池の長寿命化を目的として、ガス濃度センサ３６によるガス濃度の検出周期を長周期化した等の理由で、周囲環境のガス濃度の変化に対して若干の制御遅れが生じる等の場合にも、周囲環境のガス濃度が急速に増加した際の制御遅れを抑制し、ファン２０の作動をより早期に停止させることができる。
【００５０】
なお、上記では電圧検出部５２によって電源部３４の電圧を検出し、検出した電源部３４の電圧が所定電圧未満の場合にファン２０の作動を停止させる態様を説明したが、本発明において上記制御は必須ではなく、上記制御を行わない態様も本発明の権利範囲に含まれる。
【００５１】
また、上記では衣服側回路１２とガス警報器３０とを有線で接続した構成の着用物内環境向上システム１０を説明したが、本発明はこれに限定されるものではなく、衣服側回路１２とガス警報器３０とが無線通信を行う構成であってもよい。
【００５２】
また、上記では、本発明に係る着用物内環境向上装置の一例である着用物内環境向上システム１０を、衣服側回路１２とガス警報器３０とを接続した構成としていたが、本発明はこれに限定されるものではなく、衣服側回路１２とガス警報器３０とが一体化された構成であってもよい。
【符号の説明】
【００５３】
１０…着用物内環境向上システム、１２…衣服側回路、１４…電源、１６…スイッチ、２０…ファン、２２…衣服、２４…矢印、３０…ガス警報器、３４…電源部、３６…ガス濃度センサ、３８…ブザー、４０…ガス警報器制御部、４８Ａ…スイッチ、４８…スイッチング部、５０…スイッチング制御部、５２…電圧検出部
【図１】
0006278878.tif 000002
【図２】
0006278878.tif 000003
【図３】
0006278878.tif 000004
【図４】
0006278878.tif 000005
【図５】
0006278878.tif 000006
【図６】
0006278878.tif 000007
【図７】
0006278878.tif 000008